(57)【特許請求の範囲】
【請求項１】
冷凍室の一部に製氷部を設け、前記製氷部の下方に貯氷部を設け、前記製氷部と貯氷部を含む前記冷凍室の前方部に引き出し扉を設け、
前記貯氷部の少なくとも一部を覆うように収納容器を設け、
前記収納容器は前記扉の移動とともに一体に移動し、
前記製氷部の側壁の外側にガイド部を設け、
前記ガイド部に前記貯氷部の内側に設けられた取付部が、前後方向に移動可能に取り付けられ、
前記収納容器に当接部を設け、
前記貯氷部の前記収納容器側に当接部を設け、
前記扉を開いたとき、前記収納容器が前方に移動することにより、前記収納容器の前記当接部が前記貯氷部の前記当接部に後方から当接することで前記引出し扉の移動に連動して、前記貯氷部は所定の位置まで前方に移動し、前記貯氷部の貯氷する部分のボックス部の少なくとも一部は庫内に残ることを特徴とする冷蔵庫。
【請求項２】
前記製氷部は、前後左右に壁が設けられ、かつ、回動して離氷させる製氷皿が前記壁に囲まれて、回動自在に取り付けられており、
前記製氷皿の回動する軸は、前記壁の何れかに取り付けられていることを特徴とする請求項１に記載の冷蔵庫。
【請求項３】
前記扉を開き、前記貯氷部の下部前方の下方に突出して設けられた突起に前記収納容器の下部後方の上方に突出して設けられた突起が当接することで前記貯氷部が所定の位置まで前方に移動した後、前記貯氷部を手前に引き出すとき、前記収納容器の底部内面の少なくとも前記突起が、前記貯氷部の下方を支えることを特徴とする請求項１または請求項２に記載の冷蔵庫。
【請求項４】
前記貯氷部の前部外面の上方に取っ手部を設け、
前記扉を閉じたとき、前記収納容器の前部内面と前記貯氷部の前部外面との間であって前記取っ手部の下方に生じる空間部に、シャベル状の容器を収納する収納部を設けたことを特徴とする請求項１から請求項３のいずれかに記載の冷蔵庫。
【請求項５】
前記貯氷部を庫内に収納したとき、前記ガイド部が前記取付部を支持する部分以外の少なくとも一部は、前記貯氷部から離れていることを特徴とする請求項１から請求項４のいずれかに記載の冷蔵庫。
【請求項６】
前記貯氷部を出し入れするとき、または、前記貯氷部を庫内に収納したとき、前記ガイド部、前記取付部、前記貯氷部の乗り上げ部と前記貯氷部の前記ボックス部をつなぐ接続部、前記収納容器の支え部のうち少なくとも一部は、水を排除するための傾斜部をもつことを特徴とする請求項１から請求項５のいずれかに記載の冷蔵庫。
【請求項７】
前記貯氷部を庫内に収納したときの、少なくとも前記ガイド部が前記取付部の下面に設けられた突起を支える部分の周辺には、冷気があたるようにしたことを特徴とする請求項１から請求項６のいずれかに記載の冷蔵庫。
【発明の詳細な説明】
【０００１】
【発明の属する技術分野】
本発明は製氷部をもつ冷蔵庫に関する。
【０００２】
【従来の技術】
従来この種の冷蔵庫は、例えば特開平１０−１４１８４２号公報に示されるように、引き出し可能な冷凍室の扉の背面側に冷凍ケースを設け、前記冷凍室の上部に製氷棚を設け、前記製氷棚上にスライド可能に保持された製氷トレイを載置し、前記製氷トレイ上に製氷皿を載置して、前記冷凍室の扉を引き出したとき、追従して前記製氷トレイが冷凍室前面に導出するものがある。
【０００３】
【発明が解決しようとする課題】
前記のような冷蔵庫では、冷凍ケースに貯氷部と他の貯蔵物（例えば：冷凍食品）を収納する貯蔵部とがある場合、前記冷凍ケース内にある他の貯蔵物を取り出すため、冷凍室の扉を引き出すと、冷凍ケースが引き出されるとともに、常に貯氷部も同時に庫外に引き出され、長時間冷凍ケースが庫外に引き出されていると、貯蔵された氷の一部が溶けたり、場合によっては、貯氷部にホコリやゴミが入り、貯蔵されている氷に前記ホコリやゴミが付着することになり、エネルギー的にもロスが生じ、衛生面でも良くないという課題があった。
【０００４】
【課題を解決するための手段】
本発明の冷蔵庫は前記のような課題を解決したもので、本発明の冷蔵庫は、冷凍室の一部に製氷部を設け、前記製氷部の下方に貯氷部を設け、前記製氷部と貯氷部を含む前記冷凍室の前方部に引き出し扉を設け、前記貯氷部の少なくとも一部を覆うように収納容器を設け、前記収納容器は前記扉の移動とともに一体に移動し、前記製氷部の側壁の外側にガイド部を設け、前記ガイド部に前記貯氷部の内側に設けられた取付部が、前後方向に移動可能に取り付けられ、前記収納容器に当接部を設け、前記貯氷部の前記収納容器側に当接部を設け、前記扉を開いたとき、前記収納容器が前方に移動することにより、前記収納容器の前記当接部が前記貯氷部の前記当接部に後方から当接することで前記引出し扉の移動に連動して、前記貯氷部は所定の位置まで前方に移動し、前記貯氷部の貯氷する部分のボックス部の少なくとも一部は庫内に残ることを特徴とするものである。
【０００５】
また、本発明の冷蔵庫は、前記製氷部は、前後左右に壁が設けられ、かつ、回動して離氷させる製氷皿が前記壁に囲まれて、回動自在に取り付けられており、前記製氷皿の回動する軸は、前記壁の何れかに取り付けられていることを特徴とするものである。
【０００６】
そして、本発明の冷蔵庫は、前記扉を開き、前記貯氷部の下部前方の下方に突出して設けられた突起に前記収納容器の下部後方の上方に突出して設けられた突起が当接することで前記貯氷部が所定の位置まで前方に移動した後、前記貯氷部を手前に引き出すとき、前記収納容器の底部内面の少なくとも前記突起が、前記貯氷部の下方を支えることを特徴とするものである。
【０００７】
そしてまた、本発明の冷蔵庫は、前記貯氷部の前部外面の上方に取っ手部を設け、前記扉を閉じたとき、前記収納容器の前部内面と前記貯氷部の前部外面との間であって前記取っ手部の下方に生じる空間部に、シャベル状の容器を収納する収納部を設けたことを特徴とするものである。
【００１２】
そしてまた、本発明の冷蔵庫は、前記貯氷部を庫内に収納したとき、前記ガイド部が前記取付部を支持する部分以外の少なくとも一部は、前記貯氷部から離れていることを特徴とするものである。
【００１３】
さらに、本発明の冷蔵庫は、前記貯氷部を出し入れするとき、または、前記貯氷部を庫内に収納したとき、前記ガイド部、前記取付部、前記貯氷部の乗り上げ部と前記貯氷部のボックス部をつなぐ接続部、前記収納容器の支え部のうち少なくとも一部は、水を排除するための傾斜部をもつことを特徴とするものである。
【００１５】
また、本発明の冷蔵庫は、前記貯氷部を庫内に収納したときの、少なくとも前記ガイド部が前記取付部の下面に設けられた突起を支える部分の周辺には、冷気があたるようにしたことを特徴とするものである。
【００１６】
【発明の実施の形態】
以下、本発明の冷蔵庫の実施の形態を図面とともに説明する。
【００１７】
図１は本発明の冷蔵庫を示す側面断面図、図２は図１の冷蔵庫の貯氷部付近の要部拡大図、図３は図２の貯氷部付近の断熱扉を開いたときの要部拡大図、図４は図３で貯氷部を引き出したときの要部拡大図、図５は図２の貯氷部付近の要部断面図、図６は本発明の冷蔵庫で貯氷部の取付部付近の拡大図である。
【００１８】
図１において、冷蔵庫１は外部を覆う外箱２の内側に内箱３が配され、外箱２と内箱３との隙間には発泡ウレタン等の断熱材４が充填されている。そして、５は前記冷蔵庫１の運転を制御する制御装置５ａを含む電装ボックスであり、前記制御装置５ａは冷蔵庫１の後述する各々の電気部品と電気的に接続されている。また、冷蔵庫１の内部は上から冷蔵室６、野菜室７、冷凍室８の順に区分けされている。
【００１９】
野菜室７と冷凍室８は断熱部材から成る仕切枠９及び断熱部材から成る仕切板１０に仕切られており、冷凍室８はさらに断熱部材から成る仕切枠１１により上部冷凍室８ａと下部冷凍室８ｂに仕切られている。冷蔵室６と野菜室７は断熱部材から成る仕切枠１２及び樹脂成形品から成る仕切板１３、１４によって仕切られている。仕切板１４には貫通口１４ａが設けられている。
【００２０】
冷蔵室６の下部には仕切板１５で仕切られる隔離室である氷温室１６が設けられている。冷蔵室６には複数の棚１７が設けられている。冷蔵室６の前面は回動式の断熱扉１８により開閉可能になっている。野菜室７、上部冷凍室８ａ及び下部冷凍室８ｂは前面が夫々スライド式の断熱扉１９、２０、２１により開閉可能になっており、収納容器２２、２３、２４を引出せるようになっている。
【００２１】
冷凍室８の後部には圧縮機２５が配されている。圧縮機２５には吐出パイプ２５ａを介して凝縮器（不図示）が連結されており、吸込パイプ２５ｂを介して冷却器２６が連結されている。凝縮器（不図示）と冷却器２６はキャピラリーチューブ（不図示）を介して連結されている。
【００２２】
これにより冷凍サイクルが構成され、冷凍サイクル運転が行われると冷却器２６が冷却されるようになっている。冷却器２６の下方には冷却器２６の除霜を行う除霜ヒータ２７が設けられている。２８はドレン受け部材である。
【００２３】
冷却器２６は冷気通路２９内に配されており、冷気通路２９の下部は内箱３と樹脂成形品から成るエバカバー３０とにより形成されている。冷気通路２９内の冷却器２６の上方には送風機３１が配されている。冷気通路２９は背面板３２に設けられた吐出口３２ａ、３２ｂおよび戻り口カバー３３に設けられた戻り口３３ａにより冷凍室８と連通している。
【００２４】
野菜室７の背面は前述の仕切板１０に覆われており、冷気通路２９の上部の圧力室３４はエバカバー３０と仕切板１０とにより形成されている。断熱部材から成る仕切板１０により、冷却器２６に近設される野菜室７の過冷却を防止している。
【００２５】
冷気通路２９は送風機３１の上方に配される冷気通路３５とダンパー３６を介して連通している。冷気通路３５の下部は氷温室１６の背面板３７に固着される断熱部材３８と内箱３とにより形成されている。また、背面板３７と断熱部材３８には同じ位置に開口部３７ａ、３８ａが設けられている。開口部３７ａ、３８ａにより氷温室１６は冷気通路３５と連通している。
【００２６】
冷気通路３５は略中央に配される中央通路３５ａと、中央通路３５ａの両側部に設けられる側方通路３５ｂとにリブ３５ｃにより分岐されている。リブ３５ｃは背面板３９と一体に形成されている。
【００２７】
冷気通路３５の上部は冷蔵室６の内壁を形成する部材４０と内箱３上に設けられた背面板３９とにより形成されている。また、側方通路３５ｂの外側の側壁は背面板３９により形成されており、側壁には複数の開口部（不図示）が設けられている。
【００２８】
さらに、背面板３９には部材４０の外側周辺を覆う壁面部（不図示）が前記部材４０とほぼ同一面上に形成されている。壁面部には開口部と連通する複数の吐出部（不図示）が凹設されている。従って、吐出部及び開口部により、側方通路３５ｂは冷蔵室６と連通し、冷気を冷蔵室６に吐出できるようになっている。
【００２９】
冷蔵室６の天井部分には樹脂成形品から成る上面板４２と内箱３により天井ダクト４３が形成されている。天井ダクト４３は左右に並設されており、中央通路３５ａと連通している。そして、上面板４２に設けられた天井吐出口４２ａにより左右に分散して冷気を吐出できるようになっている。左右の天井ダクト４３の間には透明な照明カバー４４で覆われる照明灯４５が設けられている。
【００３０】
前記構成の冷蔵庫１において、冷凍室８の庫内温度が上昇し、前記冷凍室８に設けられた温度検知手段（不図示）で検出された温度が所定の温度（例えば−１８℃）を越えたとき、圧縮機２５および送風機３１が制御装置５ａにて駆動されると、冷凍室８内の空気は戻り口３３ａから冷気通路２９に導かれる。該空気は冷却器２６と熱交換して冷却され、吐出口３２ａ、３２ｂから冷凍室８に流入する。これにより冷凍室８内が所定の温度に冷却される。
【００３１】
また、冷蔵室６の庫内温度が上昇し、冷蔵室６の背面に設けられた前記温度検知手段（不図示）で検出された温度が所定の温度（例えば５℃）を越えたとき、制御装置５ａにて圧縮機２５および送風機３１が駆動されダンパー３６を開くことにより、冷却器２６と熱交換した冷気はダンパー３６を介して冷却通路２８内を流通するようになり、該冷気の一部は開口部３７ａ、３８ａから氷温室１６に流入する。これにより氷温室１６内が例えば−１℃に冷却される。
【００３２】
他の冷気は中央通路３５ａ及び側方通路３５ｂに分岐して進行する。側方通路３５ｂを通る冷気は背面板３９の吐出部（不図示）から冷蔵室内に吐出される。中央通路３５ａを通る冷気は、天井ダクト４３を通り、天井吐出口４２ａから吐出される。そのため、前記吐出部及び天井吐出口４２ａから分散して吐出される冷気とで冷蔵室６内が効率良く均一に冷却される。
【００３３】
冷蔵室６内の空気は棚１７の間や棚１７の前面を通り氷温室１６の下方から開口部１４ａを介して冷気通路４６を流通し、野菜室７内の前方に流入する。更に収納容器２２の前面から下方を通り、野菜室７内が冷却される。そして、流出口（不図示）からダクト（不図示）を通り冷却器２６の下部に導かれて冷気が循環する。なお、冷蔵室６の温度検知手段（不図示）で検出された冷蔵室６の温度に応じてダンパー３６が開閉し、冷蔵室６及び野菜室７の温度を例えば３℃に維持するようになっている。
【００３４】
また、部材４０がアルミニウムやその合金やステンレス等の熱伝導性を有する熱伝導部材から形成されていると、中央通路３５ａ内を流通する冷気による冷熱の一部が部材４０に伝えられ、側方通路３５ｂの前面を含む全面から冷蔵室６に冷熱として放出されるため、部材４０からの冷熱と、背面板３９の吐出部及び天井吐出口４２ａから分散して吐出される冷気とで冷蔵室６内がさらに効率良く均一に冷却される。
【００３５】
このとき、中央通路３５ａや側方通路３５ｂの部材４０側には適度の厚さの断熱部材を設け、中央通路３５ａや側方通路３５ｂを通る、冷気の冷熱の一部を熱伝導させて、冷蔵室６内に放出する、部材４０からの熱伝導量を調整するとよい。
【００３６】
なお、冷気通路を通る冷気による冷熱の一部が部材を介して貯蔵室内に放出されるとは、冷気通路を通る冷気の一部が部材から吸熱して該部材を冷却し、部材が貯蔵室内から吸熱して貯蔵室内を冷却することを意味する。
【００３７】
図２において、断熱扉２０に設けられた取付枠４７の上部に、収納容器２３は着脱自在に取り付けられている。そして、取付枠４７の後方下部には、ローラ４８が回転自在に取り付けられており、内箱３の庫内側で両方の側壁に対向して設けられた、回転自在のローラ（不図示）とレール（不図示）上に、取付枠４７は水平方向に移動可能に取り付けられている。そのため、断熱扉２０、取付枠４７、収納容器２３は、一体に移動でき、断熱扉２０はスライド式の開閉可能な上部冷凍室８ａ用の扉となっている。なお、２３ａは収納容器２３内前方に置かれた、氷をすくい取るためのシャベル状の容器である。
【００３８】
また、製氷部４９は上部冷凍室８ａ内の左側上方に設けられている。そして、製氷部４９は製氷皿４９ａ、皿駆動部４９ｂ、給水管４９ｃ、検知レバー４９ｄ，取付枠５０からなっている。また、取付枠５０に設けられた皿駆動部４９ｂに製氷皿４９ａは接続され、製氷皿４９ａは取付枠５０に回転自在に取り付けられている。また、給水管４９ｃは製氷皿４９ａの後部上方に設けられ、製氷皿４９ａに水を注ぎ込めるようになっている。
【００３９】
そして、製氷部４９の下方には貯氷部５１が設けられており、取付枠５０の左右方向の両側面外側に設けられた、後述するガイド部５０ａの上面に、貯氷部５１の取付部５１ａが取り付けられ、貯氷部５１は前後方向に移動可能になっている。
【００４０】
そして、冷蔵庫１本体の電源コード（不図示）を電源に接続し、初めて水で充たされた製氷のための給水タンク（不図示）が、冷蔵室６の下方左側に設けられた給水タンク収納部にセットされると、前記給水タンクから、給水ポンプ（不図示）によって水が送られ、上部冷凍室８ａにある給水管４９ｃを通して、製氷皿４９ａに前記水が適量注ぎ込まれる。
【００４１】
その後、上部冷凍室８ａが冷却されることにより、製氷皿４９ａ内の水が凍結し氷となる。そして、製氷皿４９ａの下方外面に設けられたサーミスター（不図示）で所定の温度（例えば：−２０℃）以下の温度が所定時間（例えば：１５分）継続して感知されると、製氷皿４９ａは皿駆動部４９ｂにて回転される。その後、製氷皿４９ａの後方が取付枠５０の突起部（不図示）に当たり製氷皿４９ａにねじれが生じるまで、製氷皿４９ａが皿駆動部４９ｂにて回転され、製氷皿４９ａ内部の氷を離氷させて貯氷部５１内に落とす。そして、製氷皿４９ａは反転してもとの位置に戻る。
【００４２】
その後、再び給水ポンプ（不図示）によって、製氷皿４９ａに水が適量注ぎ込まれ、貯氷部５１内に氷が所定量貯蔵されるまで、前記同様の製氷動作が繰り返される。なお、貯氷部５１内に氷が所定量貯蔵されたかどうかは、検知レバー４９ｄで検知して判断し、貯氷部５１内が所定量になると検知レバー４９ｄの検知により、給水ポンプ（不図示）での給水を行われないようにし、それ以上製氷しないようにしてある。そして、貯氷部５１内の氷が使われ検知レバー４９ｄで検知して所定量より減ると、再び前記同様の製氷動作が繰り返され氷が自動的に追加される。
【００４３】
図３において、断熱扉２０は前方に引き出され、取付枠４７の上部に設けられた下方に突き出た突起（不図示）が、内箱３の両側壁に設けられた回転自在のローラ（不図示）に当たり、断熱扉２０は、本図に示されたように、所定の位置から前方へは水平に引き出されないようになっている。なお、前記取付枠４７の上部はＬ字状に曲げられ、その曲げられた部分が内箱３の両側壁に設けられた前記ローラ上にのっている。
【００４４】
また、断熱扉２０の引き出しにともなって、収納容器２３が移動しても、貯氷部５１は収納容器２３の所定の移動量まで移動して、庫内のその場に留まるように、貯氷部５１付近の収納容器２３の後部壁面は、切り欠かれている。
【００４５】
そして、断熱扉２０が所定の距離（例えば：２９０ｍｍ）だけ前方に引き出されると、貯氷部５１の下部前方の下方に突出して設けられた突起５１ｂに、収納容器２３の下部後方の上方に突出して設けられた突起２３ａが当たり、断熱扉２０の引き出し動作に従って、同時に所定の距離（例えば：１００ｍｍ）だけ断熱扉２０と同一方向の前方に貯氷部５１も移動する。
【００４６】
なお、貯氷部５１の取付部５１ａは、取付枠５０のガイド部５０ａ上を断熱扉２０と同一方向に移動するように、ガイド部５０ａで案内されるため、製氷部４９のガイド部５０ａで貯氷部５１の移動状態が安定し、移動に要する荷重が少なくてすみ、操作性は向上する。
【００４７】
また、前記ガイド部５０ａは別の部材（例えば：内箱３の側壁を利用。ただし、このときは、取付部５１ａは左右方向で外側から挿入され、取り付け可能とする必要がある。）や独立した単体のもので形成されてもよい。
【００４８】
そのため、断熱扉２０の引き出しにともなって、貯氷部５１の前方に設けられた取っ手部５１ｃが、容易に軽い力で握りやすい位置に出てくる。このとき、貯氷部５１の多くは庫内にあり、断熱扉２０を開くたびには、貯氷部５１が庫外にあまり出ることがなく、貯蔵されている氷が溶ける可能性も少なく、エネルギーロスが少なくなり、また、庫外からのホコリやゴミが前記貯氷部５１内に入り込む可能性も少なく、貯蔵されている氷が汚れることもない。
【００４９】
また、断熱扉２０を開いたとき、貯氷部５１の前方の取っ手部５１ｃに、指がかけられる所まで、貯氷部５１が移動するため、前記貯氷部５１を前方に引き出しやすくなっている。
【００５０】
なお、前記で、取っ手部５１ｃがない場合であっても、貯氷部５１の前方の一部に指がかけられるようになっておれば、指がかけられる所まで貯氷部５１が移動するようにしておくと、貯氷部５１を手前に引き出せ、貯氷部内面に指がかかることによる、衛生面での不安は生じるが、前記と類似の効果が得られる。
【００５１】
さらに、断熱扉２０の引き出しにともなって、貯氷部５１が移動しなく、庫内に留まっていても、取っ手部や貯氷部５１の前方の一部に、指がかけられるような空間を設けてあると、断熱扉２０を開くたびに貯氷部５１が庫外に出ることがないため、庫外からのホコリやゴミが前記貯氷部５１内に入り込む可能性をさらに減らせることができ、しかも、貯蔵されている氷が溶ける可能性もさらに少なくなり、エネルギーロスもより少なくなる。
【００５２】
また、前記は、引き出し式の扉に付いてであるが、片側が回転軸となる回動式の扉であっても、扉の開放にともなって、貯氷部を所定の距離だけ移動させるため、貯氷部の後方に押しバネを設けたりして、移動手段を備えると、部品点数の増加が生じコスト的には不利であるが、前記同様の効果が得られる。
【００５３】
そして、図３のような前記の状態で、貯氷部５１のある位置以外の収納容器２３に貯蔵されている貯蔵物は、収納容器２３が庫外に引き出されているので、その取り出しが可能となっている。
【００５４】
図４において、図３の状態から貯氷部５１の取っ手部５１ｃに指をかけ、手前に引き出すと、貯氷部５１の取付部５１ａが、取付枠５０に設けられたガイド部５０ａの上面を通り過ぎた後、貯氷部５１の乗り上げ部５１ｂが、収納容器２３の支え部２３ｂ上に乗り、貯氷部５１の取っ手部５１ｃが収納容器２３の前方部内面にあたるまで、さらに前記貯氷部５１は前方に引き出される。
【００５５】
なお、本図において、乗り上げ部５１ｂの一部に、後述する突起５１ｆ（不図示）を設け、前記乗り上げ部５１ｂの他の部分は、支え部２３ｂから離れた状態にしてあるが、本図における、貯氷部５１のかげとなる部分の、収納容器２３の支え部２３ｂや前記突起５１ｆは、図面が複雑になるため省略してある。
【００５６】
また、貯氷部５１は充分手前に引き出すことができ、貯氷部５１に貯蔵されている氷が取り出しやすくなる。そして、貯氷部５１の前方下部は傾斜面５１ｄにしてあるため、必要以上に断熱扉２０を引き出すことなく、貯氷部５１を収納容器２３から取り出して使えるようになっている。
【００５７】
また、貯氷部５１から氷を取り出した後、断熱扉２０を押して扉を閉めるとき、再び貯氷部５１の取付部５１ａが、取付枠５０に設けられたガイド部５０ａの上面に乗り上げるために、収納容器２３に乗っている貯氷部５１の取付部５１ａの後端部より、ガイド部５０ａの前方部は低い位置となる傾斜面５０ｂをもっている。
【００５８】
前記傾斜面５０ｂにより、断熱扉２０を閉めるとき、貯氷部５１の取っ手部５１ｃの前面が収納容器２３に押されて、断熱扉２０、収納容器２３、貯氷部５１が一体に後方に移動しても、取付枠５０に設けられたガイド部５０ａに、引っ掛かることなく貯氷部５１の取付部５１ａが乗り上げて、収納容器２３と貯氷部５１は庫内のもとの位置に納まるようになる。なお、前記取付部５１ａには後述する突起５１ｅが略円弧状に設けられている。
【００５９】
さらに、取付枠５０に設けられたガイド部５０ａの後方には、後方になるほど下方に下がる傾斜面をもっており、貯氷部５１を庫内に収納するとき、前記ガイド部５０ａの後方の傾斜面上に、取付部５１ａが来ると、自重で後方に貯氷部５１が滑り落ち、自動的に貯氷部５１が収納されるようになっている。
【００６０】
図５において、製氷部４９の下方には貯氷部５１が設けられており、取付枠５０の左右方向の両側面外側に設けられたガイド部５０ａの上面に、貯氷部５１の取付部５１ａが前後方向に移動可能に取り付けられている。そして、前記取付部５１ａの下面には突起５１ｅがガイド部５０ａの上面に乗り上げるように、片側につき前後２個所（両側で合計４個所）に設けられている。
【００６１】
貯氷部５１を手前に引き出すと、貯氷部５１の取付部５１ａが、取付枠５０に設けられたガイド部５０ａの上面を通り過ぎた後に、貯氷部５１の乗り上げ部５１ｂの突起５１ｆが、収納容器２３の支え部２３ｂ上に乗り、貯氷部５１が収納容器２３の前方部内面にあたるまで、さらに前記貯氷部５１は前方に引き出されるようになっている。そのため、前記貯氷部５１の移動量が大きくとれ、前記貯氷部５１に貯蔵された氷の取り出しが容易になる。
【００６２】
なお、本図は収納容器２３と貯氷部５１が庫内に収納されているときの図であり、貯氷部５１を支える部分（ガイド部５０ａが突起５１ｅを支える部分）以外の部分は、貯氷部５１から離れている。
【００６３】
そのため、収納容器２３や貯氷部５１が、庫外に引き出されたときに、外気に触れて結露したり、ぬれた手で触ったりして、収納容器２３や貯氷部５１に水分が付着した後、収納容器２３や貯氷部５１が再び庫内に収納されて、前記結露水等の水分が凍結しても、貯氷部５１を支える部分以外の部分は、貯氷部５１から所定の距離だけ離れているので、互いに氷結し固着することがない。
【００６４】
なお、貯氷部５１から離れている、前記所定の距離は、前記水分の付着状態を微少な霧状のものを想定した場合は０．５ｍｍ以上あればよく、水分の付着が水滴までも想定するのであれば２ｍｍ以上必要となり、好ましくは、可動部であることをも配慮して、３ｍｍ以上に設定するとよい。
【００６５】
そして、前記ガイド部５０ａの突起５１ｅを支える部分は小さい領域のため、その部がたとえ氷結固着しても、少ない力で前記氷結固着部を引き離すことができ、容易に貯氷部５１を手前に移動することができ、貯氷部５１のある断熱扉２０や貯氷部５１自身の引出し操作が容易にできる。
【００６６】
なお、前記突起５１ｅは、側面からみて略円弧状になっているため、ガイド部５０ａとは、作図上において線接触（ミクロ的にみて、または、何度も前後に移動させた後の摩耗等を考慮すると、非常に巾の狭い面接触）であり、また、前後に進む方向に乗り上げやすい略円弧状であり、その部が仮に氷結しても、その部の氷結固着力は非常に小さなものとなる。
【００６７】
そして、前記突起５１ｅは、左右方向で中央に進むほど、下方に下がる傾斜となっていると、前記ガイド部５０ａの突起５１ｅに対向する面が、前記傾斜より小さい角度の同一方向の傾斜以下（水平や逆傾斜を含む）であると、前記突起５１ｅとガイド部５０ａとは作図上において点接触（実際上では、非常に狭い面接触）となり、さらにその部の氷結固着力は微少となる。
【００６８】
なお、前記傾斜をもつ突起５１ｅは、射出成型で形成の場合、金型構造上は無理抜きとなる。また、乗り上げ部５１ｂにも同様の目的で突起５１ｆが設けられている。
【００６９】
そして、少なくとも前記突起５１ｅやその周辺のガイド部５０ａには、図１における冷気通路２９上部の圧力室３４に通じる通路から吐出される冷気の一部が、開口部５０ｃを通って流れるようになっている。
【００７０】
そのため、結露等により水分が前記突起５１ｅやその周辺のガイド部５０ａ周辺に発生した場合、その部やその周辺に冷気をあてることにより、前記水分が蒸発して、結露水等で凍結して氷結固着することもないので、さらに少ない力で前記貯氷部５１を移動することができ、貯氷部５１のある断熱扉２０や前記貯氷部５１の引出し操作がいっそう容易になる。
【００７１】
図６において、収納容器２３の支え部２３ｂや貯氷部５１の取付部５１ａは、その上面に水滴が溜まった場合、外側へ流れ落ちるように、外側へ進むほど低くなるような傾斜面をもっている。
【００７２】
また、乗り上げ部５１ｂと貯氷部５１のボックス部５１ｇをつなぐ接続部５１ｈやガイド部５０ａは、内側へ進むほど低くなるような傾斜面をもっており、ガイド部５０ａには取付枠５０の側壁付近に、排水穴５０ｄが設けられている。そのため、接続部５１ｈやガイド部５０ａの上面に水滴が溜まった場合、内側へ流れ落ちるようになっており、ガイド部５０ａでは、排水穴５０ｄから下方に、その水滴が流れ落ちるようになっている。
【００７３】
それゆえ、貯氷部５１を庫内に収納したとき、前記ガイド部５０ａ、取付部５１ａ、接続部５１ｈ、支え部２３ｂ、には水滴が留まらないため、貯氷部５１が氷結固着することはなく、さらに少ない力で前記貯氷部５１を移動することができ、貯氷部５１のある断熱扉２０や前記貯氷部５１の引出し操作がいっそう容易になる。
【００７４】
なお、前記で、ガイド部５０ａの少なくとも突起５１ｅを支える付近の部分が傾斜しておれば、その部の水滴の氷結による貯氷部５１の固着が防がれ、断熱扉２０の引き出しがさらに容易となる。
【００７５】
また、本図においては、突起５１ｅ周辺のガイド部５０ａは略水平にしてあり、その他のガイド部５０ａは、内側へ進むほど低くなるような傾斜面をもっているので、突起５１ｅは外側へはずれにくくなっている。また、突起５１ｅや前記突起５１ｅに対向するガイド部５０ａの面も、同様に傾斜させると、さらにその部に水滴が留まらず、いっそう氷結の恐れはなくなる。
【００７６】
また、前記は左右方向の傾斜についてであるが、前後方向に傾斜（例えば：ガイド部５０ａの後方の傾斜面）を設けても同様の効果が得られる。
【００７７】
さらに、庫内へ収納したときの、少なくとも前記突起５１ｅと、その周辺のガイド部５０ａのどちらか一方に、はっ水手段（例えば：シリコーン混練樹脂材を使用、シリコーン膜張付や塗布等）を施すと、その部に水滴が留まりにくいため、貯氷部５１が氷結固着する可能性は少なく、さらに小さい力で前記貯氷部５１を移動することができ、貯氷部５１のある断熱扉２０や前記貯氷部５１の引出し操作がいっそう容易になる。
【００７８】
また、前記は、自動製氷装置付きの製氷部や貯氷部に付いてであるが、手動式の製氷装置においても、前記同様の効果が得られることは明白である。
【００７９】
なお、前記で左右方向とは、冷蔵庫を正面から見て左右の方向を意味し、前後方向とは、冷蔵庫を正面から見て前後の方向を意味する。
【００８０】
【発明の効果】
本発明によると、扉を開くたびに貯氷部が庫外に出ることがないため、庫外からのホコリやゴミが前記貯氷部内に入り込む可能性を減らせることができる。
【００８１】
また、本発明によると、扉を開いたとき、貯氷部が前方に移動するため、前記貯氷部が取り出しやすくなるとともに、扉を開くたびに貯氷部のほとんどが庫外に出ることがないため、庫外からのホコリやゴミが前記貯氷部内に入り込む可能性を減らせることができる。
【００８２】
そして、本発明によると、扉を開いたとき、収納容器が前方に移動することにより、収納容器の当接部が貯氷部の当接部に後方から当接することで引出し扉の移動に連動して貯氷部が同一方向である前方に移動するため、前記貯氷部は移動しやすくなり、しかも、前記貯氷部が取り出しやすくなるとともに、扉を開くたびに貯氷部のほとんどが庫外に出ることがないため、庫外からのホコリやゴミが前記貯氷部内に入り込む可能性を減らせることができる。
【００８８】
そしてまた、本発明によると、貯氷部を庫内に収納したとき、ガイド部が取付部を支持する部分以外の少なくとも一部は、前記貯氷部から離れているため、結露水等で凍結して氷結固着することがなく、さらに少ない力で前記貯氷部を移動することができ、貯氷部のある扉や前記貯氷部の引出し操作がいっそう容易になる。
【００８９】
さらに、本発明によると、前記貯氷部を出し入れするとき、または、前記貯氷部を庫内に収納したとき、ガイド部、取付部、前記貯氷部の乗り上げ部と前記貯氷部のボックス部をつなぐ接続部、収納容器の支え部のうち少なくとも一部は、水を排除するための傾斜部をもっているため、前記傾斜部では結露等で発生した水分が排除され、結露水等で凍結して氷結固着することもなく、さらに少ない力で前記貯氷部を移動することができ、貯氷部のある扉や前記貯氷部の引出し操作がいっそう容易になる。
【００９１】
また、本発明によると、貯氷部を庫内に収納したときの、少なくともガイド部が取付部の下面に設けられた突起を支える部分の周辺には、冷気があたるようにしているため、結露等により発生した水分に冷気をあてることにより、前記水分が蒸発して、結露水等で凍結して氷結固着することもなく、さらに少ない力で前記貯氷部を移動することができ、貯氷部のある扉や前記貯氷部の引出し操作がいっそう容易になる。
【図面の簡単な説明】
【図１】本発明の冷蔵庫を示す側面断面図である。
【図２】図１の冷蔵庫の貯氷部付近の要部拡大図である。
【図３】図２の貯氷部付近の断熱扉を開いたときの要部拡大図である。
【図４】図３で貯氷部を引き出したときの要部拡大図である。
【図５】図２の貯氷部付近の要部断面図である。
【図６】本発明の冷蔵庫で貯氷部の取付部付近の拡大図である。
【符号の説明】
８  冷凍室
８ａ  上部冷凍室（冷凍室）
２０  断熱扉（扉）
２３  収納容器
４９  製氷部
５０ａ  ガイド部
５１  貯氷部
５１ａ  取付部
５１ｃ  取手部
【図１】
0003680159.tif 000002
【図２】
0003680159.tif 000003
【図３】
0003680159.tif 000004
【図４】
0003680159.tif 000005
【図５】
0003680159.tif 000006
【図６】
0003680159.tif 000007